(57)【要約】【課題】  従来のポケット形エアフィルタは格子状枠と袋状ろ材からなり、袋状ろ材を格子状枠に接着材で固定した固定式と着脱自在に取り付けた着脱式のものがある。いずれも使用後のポケット形エアフィルタを処分する際には分別廃棄し、廃棄物の量を減らすことが出来ない上、コスト削減も限界があった。さらには、袋状ろ材の交換に当たっても作業性が悪く格子状枠を再使用することができなかった。本発明はこれらの問題を解決しょうとしたものである。【解決手段】  取付枠と袋状ろ材を取り付けるに当たっては、結束バンドで取り付け、ポケット形エアフィルタのろ材交換にあたっては、袋状ろ材のみを交換するだけで取付枠を再利用するようにしたポケット形エアフィルタを提供するものである。【選択図】図１
2013123708.tif 000002
【特許請求の範囲】
【請求項１】
袋状ろ材と取付枠からなり、袋状ろ材を結束バンドで着脱自在に取り付けるようにし、袋状ろ材のみを交換するだけで取付枠を再利用可能にしたことを特徴とするポケット形エアフィルタ。
【請求項２】
取付枠の外周面にコの字状溝を形成し、この溝に袋状ろ材の開口縁部を結束バンドで着脱自在に取り付けるようにしたことを特徴とする請求項１のポケット形エアフィルタ。
【発明の詳細な説明】
【技術分野】
【０００１】  本発明は、一般空調、ビル空調、あるいはガスタービン吸気などの清浄空気取り入れ口または工場などから発生する汚染空気を処理するポケット形エアフィルタに関するものである。
【背景技術】
【０００２】従来のポケット形エアフィルタは、取付枠と袋状ろ材との気密性を保つためと気流の圧に耐えられるようにするためリベットや接着材で取付枠に支持固定した構造となっている。【０００３】  このため、袋状ろ材の目づまりなどにより、袋状ろ材が寿命になった際には取付枠ごと袋状ろ材を交換する必要があった。特に比較的含じん濃度の高い塗装工場や地下鉄構内などの汚染空気を処理する場合、その空気中のダストやリント量が多いことから袋状ろ材のろ過面部の圧損抵抗が直ぐに上昇してろ過風量の低下を招くことから袋状ろ材の交換を頻繁に行う必要があった。交換は取付枠ごと交換する必要があるため、コストが高くなる上、全体を運搬する必要があるため、輸送費が高くなるといった問題が生じた。【０００４】  さらに、処理ガス中に粉塵と一緒にあるいは別々にヒユームが含まれてくる場合には、袋状ろ材のろ過面部に湿気を帯びたダストがこびり付き、ダスト捕集容量に達していないにもかかわらず圧損抵抗が急激に上昇してしまい、袋状ろ材の交換を頻繁に行わざるを得ず、ランニングコストの面でも大きな問題があった。【０００５】  また、使用済みの袋状ろ材を処分する際にも、取付枠と袋状ろ材が強固に取り付けられているため、分割作業に手間がかかる上、取付枠はプラスチック、金属製で、袋状ろ材はガラス繊維、不織布製のため分別廃棄が必要になるといった問題があった。【０００６】上記の問題を解消するため、取付枠と袋状ろ材を固定しないような方法例えば矩形状の取付枠に袋状ろ材をはめ合わせ、押え棒で着脱自在にした方法などが考えられているが、気密性と気流の圧に耐えられるようにするため部品点数が多くかかり、ポケット形エアフィルタの組み立て作業に手間と時間がかかる上、取付枠が取り外しの際に変形したり、汚れたりして、取付枠を再利用しょうといった考えはなかった。
【発明が解決しようとする課題】
【０００７】  そこで、本発明はこれらの問題点を解決しょうとしたもので、本発明の第１の目的は、新規の袋状ろ材のみを交換するだけで取付枠を再利用できるようにしたものである。
【０００８】  本発明の第２の目的は、取付枠から袋状ろ材を簡単に取り付け取り外しできるようにしたものである。
【０００９】  本発明の第３の目的は、袋状ろ材の寿命を長寿命となるように取り付けられるようにしたものである。
【課題を解決するための手段】
【００１０】  本発明の第１の解決手段は、袋状ろ材と外周面にコの字状溝を形成した取付枠とから構成したことを特徴としたものである。
【００１１】  本発明の第２の解決手段は、外周面に形成したコの字状溝に袋状ろ材の端部を結束バンドで着脱自在に取り付けるようにしたことを特徴としたものである。
【００１２】  ここで、袋状ろ材は２枚の長方形のろ材を重ね合わせ、一側縁を除いて他の側縁部を覆い布で挟み覆い布の上から糸で縫い合わせて袋状にしたものである。
【００１３】  さらに、袋状ろ材の一側縁は気体流入口の機能を有する開口部が形成されている。さらにこの開口縁部には補強布が縫い付けられろ材と一体化されている。そして隣接した開口縁部は補強布と共に糸で縫い合わされている。さらに袋状ろ材には長、短尺縫合線が設けられ、袋状ろ材が送風により膨んでも互いに接触し、気流が流れにくくなったり、ろ材面が摩擦や損傷したりするのを防止している。
【００１４】  そして本発明に使用される袋状ろ材は例えば部材としては、ガラスマット、合成繊維不織布またはメルトブロー法による極細繊維とガラスマットの積層品、混紡品または極細繊維と合成繊維不織布の積層品、混紡品などが使用できる。
【００１５】  またろ材密度は従来より袋状ろ材として使用されてきたものがそのまま使用でき、特に限定されるものではない。一般的には５０〜３７０ｇ／ｍ２で、その中でも６０〜２００ｇ／ｍ２がさらに良い。
ろ材の厚みも、従来の袋状ろ材として使用されてきたものがそのまま使用でき、特に限定されるものではない。一般的には５〜２０ｍｍで、その中でも５〜１０ｍｍがさらに良い。
【００１６】  そして、覆い布の幅はろ材の側縁部がほぐれることなく、気流の流れに障害とならない程度の細いものが好ましい。さらに袋状ろ材に合成繊維不織布を使用した場合は、縫製の代わりに熱溶着加工を行うことも可能である。
【００１７】  次に取付枠は外周面にコの字状溝を形成し且つ袋状ろ材の開口部の形状に対応した矩形状の形状となっており、１個単位で取り扱ってもよいが、複数個組み合わせて固定枠として使用できるようになっている。
【００１８】  また、取付枠に結束バンドで袋状ろ材を取り付けたとき、袋状ろ材は取付枠から簡単に取り付け取り外しできるようになっている。
【００１９】  さらに、結束バンドの材質はナイロン、ポリエステル、ポリプロピレン、フッ素樹脂、ポリエーテルエーテルケトンなどが使用される。
【００２０】上記課題解決手段による作用は次の通りである。すなわちポケット形エアフィルタは袋状フィルタろ材の開口縁部を取付枠の外周面に形成したコの字状溝に結束バンドで着脱自在に且つ簡単に取り付け取り外しできるようにした構造でありながら、上流側からの強い気流の圧力変動や振動あるいは気流の乱れなどにより外力を受け袋状ろ材が離脱することがないようになっている。また袋状ろ材の開口縁部に流入した気流により袋状ろ材が膨らむが、袋状ろ材は糸で縫い合わせられているので、袋状ろ材の隣同士が接近することによる摩擦や損傷が防止される上、通風時の有効ろ過面積が小さくなるのが防止できるものである。
【発明の効果】
【００２１】  上述したように、本発明のポケット形エアフィルタは下記のような効果が得られる。
（１）結束バンドで袋状ろ材の端部を着脱自在に取り付けるようにしたので、簡単に且つ強固に締め付けることができる。
（２）袋状ろ材を取付枠から簡単に取り付け取り外しできるようにしたので、袋状ろ材のみを交換するだけでよく、取付枠を再利用できる。
（３）部品点数が少なくてすみ、軽量化できる。
（４）交換用部品が損傷することがなく、また安価となる。
（５）袋状ろ材のみを交換可能にしたので、袋状ろ材のみを廃棄でき産業廃棄物の減容に貢献できる。
（６）袋状ろ材の取り外しは結束バンドをカットするだけで取付枠から簡単に取り付け取り外しできるようにしたので、分別時の手間を大幅に削減することができる。
（７）袋状ろ材と取付枠との取り付けを確実にしたので、上流側からの強い偏流、乱流などの気流により外れるといったことがない。
（８）袋状ろ材のみを交換するだけでよいようにしたので、ポケット形エアフィルタ全体のコストが低減できる。
（９）袋状ろ材の交換に当たっては、ろ材のみを運搬すればよく、輸送費の低減がはかれる。
【図面の簡単な説明】
【００２２】
【図１】本発明のポケット形エアフィルタの分解斜視図。
【図２】図１のポケット形エアフィルタの１部分解斜視図。
【図３】図１のポケット形エアフィルタを組み立てた全体図。
【図４】図３のＡ−Ａ断面図。
【図５】図４のＢ部を示す拡大図。
【図６】図５の１部概略図。
【発明を実施するための形態】
【００２３】以下、本発明の実施形態に係るろ材交換タイプのポケット形エアフィルタを添付図面に基づいて説明する。
【実施例１】
【００２４】第１の実施形態について図１〜３を参照して説明する。図中、１はガラス繊維からなる袋状ろ材で２枚の長方形のろ材を重ね合わせ一側縁を除いて他の側縁部を覆い布２で挟み覆い布２の上から糸で縫い合わせて袋状にしたものである。また一側縁は気体流入口の機能を有する開口部が形成され、この開口縁部３には補強布４が縫い付けられている。隣接した開口縁部３は補強布４と共に糸で縫い合わされ複数個の袋状フィルタろ材１が連結縫製されている。さらに袋状ろ材１には長尺縫合線５、短尺縫合線６が設けられている。【００２５】  次に７は取付枠で格子桟８と外周囲枠９とからなっている。そして取付枠７の外周囲枠９の外周面にはコの字状溝１０が形成されている。さらには外周囲枠９の側面全周にわたって袋状ろ材１の開口縁部３および補強布４が結束バンド１１で締め付けられることにより保持されている。【００２６】  さらに、１２は取付枠７のカバーで、取付枠７の格子桟８と外周囲枠９とに対応する位置に凹部状が形成されている。また、カバー１２の側面には各々２つの鋼板製、樹脂製の抜止め具１３が設けられている。【００２７】  さらに、取付枠７をカバー１２に嵌合した状態で抜止め具１３を押し当てることにより取付枠７とカバー１２とが密着固定される。【００２８】  そして、袋状ろ材の寿命により新規な袋状ろ材を交換する際にはまず、抜止め具１３を解除し、カバー１２から取付枠７を取り外す。次に取付枠７と袋状ろ材１の開口部縁部３および補強布４を取り付けていた結束バンド１１を外しで取付枠７から袋状ろ材１を取り外し、新規な袋状ろ材と取り替える。そして取付枠７は再使用される。【００２９】  また、取付枠７は１個単位で取り扱ってもよいが、取付枠７を複数個組み合わせることにより固定枠として使用できるものである。【００３０】  なお、上記実施形態では１実施例を述べただけで、種々変更しても何ら本発明の要旨を変更するものではない。
【産業上の利用可能性】
【００３１】  本発明は、工場空調、ビル空調、地下鉄駅構内あるいはガスタービン吸気などの外気取り入れや空調などに使用されるプレフィルタあるいは中高性能フィルタとして使用されるポケット形エアフィルタで、袋状ろ材のみを交換するだけで取付枠を再使用するようにしたもので、コストダウンに役立つ上、袋状ろ材の交換に際しては簡単な操作で分別廃棄できるようにした実用性甚だ大なるものである。
【符号の説明】
【００３２】１・・・袋状ろ材        ２・・・覆い布          ３・・・開口縁部
４・・・補強布          ５・・・長尺縫合線      ６・・・短尺縫合線
７・・・取付枠          ８・・・格子桟          ９・・・外周囲枠
１０・・・コの字状溝    １１・・・結束バンド    １２・・・カバー
１３・・・抜止め具１３
【図１】
2013123708.tif 000003
【図２】
2013123708.tif 000004
【図３】
2013123708.tif 000005
【図４】
2013123708.tif 000006
【図５】
2013123708.tif 000007
【図６】
2013123708.tif 000008